(57)【要約】      （修正有）【課題】椅子の着座部を支持する支持部に、金属製の部材を用いた場合に、高級感が低下するのを防止可能な椅子を提供する。【解決手段】椅子１は、使用者が着座する着座部１０と、着座部１０を下方から支持する支持部２０と、を備え、支持部２０は、床面から立設する脚部２１を有し、脚部２１は、金属製の軸形状である金属部材の外表面が、シートで覆われている。【選択図】図１
0003232200.tif 000002
【実用新案登録請求の範囲】
【請求項１】
使用者が着座する着座部と、
前記着座部を下方から支持する支持部と、を備え、
前記支持部は、床面から立設する脚部を有し、
前記脚部は、金属製の軸形状である金属部材の外表面が、シートで覆われていることを特徴とする椅子。
【請求項２】
前記脚部は、前記シートの両端部が重なった状態で、前記金属部材の外表面に配置され、加熱されることで、前記シートが前記金属部材の外表面に溶着され、前記シートの両端部が一体的になっていることを特徴とする請求項1に記載の椅子。
【請求項３】
前記脚部は、前記金属部材の外表面が、使用者が視認可能な部分の全面に亘って、前記シートで覆われていることを特徴とする請求項１又は２に記載の椅子。
【考案の詳細な説明】
【技術分野】
【０００１】
本考案は、例えば、使用者が着座する着座部と、着座部を下方から支持する支持部と、を備える椅子に関する。
【背景技術】
【０００２】
従来、例えば、楽器演奏用等の椅子においては、その高級感を出すために、使用者が着座する着座部を下方から支持する支持部または椅子の躯体に、天然素材である木材が用いられていた。
ところが、森林伐採による自然破壊の観点から、木材を確保することが難しくなっている。また木質の合板や集成材、圧縮材を使った場合、製造工程で使われる揮発性有機化合物が問題になることがある。
【０００３】
そこで、例えば、特許文献１には、楽器演奏用椅子において、支持部の横材に、材料を安定的に入手可能な鋼材を用いた楽器演奏用椅子が提案されている。
【先行技術文献】
【特許文献】
【０００４】
【特許文献１】特開２０００−１４４７７号公報
【考案の概要】
【考案が解決しようとする課題】
【０００５】
しかしながら、鋼材やその他金属（例えばアルミ合金等）は、安定的に入手可能であり、強度を確保するのも容易である一方、椅子の着座部を支持する支持部として用いられた場合、木目が表面に表れる木材に比べ、椅子の高級感が低下するという問題がある。
【０００６】
本考案は、上記の点に鑑みてなされたものであり、椅子の着座部を支持する支持部に、金属製の部材を用いた場合に、高級感が低下するのを防止可能な椅子を提供することを目的とする。
【課題を解決するための手段】
【０００７】
（１）  使用者が着座する着座部と、
前記着座部を下方から支持する支持部と、を備え、
前記支持部は、床面から立設する脚部を有し、前記脚部は、金属製の軸形状である。
金属部材の外表面が、表面に印刷可能なシートで覆われていることを特徴とする椅子である。
【０００８】
（１）の考案において、椅子は、使用者が着座する着座部と、着座部を下方から支持する支持部と、を備える。
支持部は、床面から立設する脚部を有する。
そして、脚部は、金属製の軸形状である金属部材の外表面が、シートで覆われていることを特徴とする。
【０００９】
（１）の考案によれば、支持部の少なくとも脚部を、金属製の軸形状の金属部材の外表面を、シートで覆った。
これにより、例えば、椅子の用途が、従来、脚部において、天然の木材が使用されていた楽器用であれば、例えば、従来の楽器用椅子で用いられていた木材の木目が表されたシートで、金属部材を覆うことで、安定的に入手可能な材料を用いつつ、高級感が低下するのを防止することが可能となる。
したがって、椅子の着座部を支持する支持部に、金属製の部材を用いた場合に、高級感が低下するのを防止可能な椅子を提供できる。
【００１０】
（２）  前記脚部は、前記シートの両端部が重なった状態で、前記金属部材の外表面に配置され、加熱されることで、前記シートが前記金属部材の外表面に溶着され、前記シートの両端部が一体的になっていることを特徴とする（１）に記載の椅子。
【００１１】
（２）の考案によれば、脚部は、シートの両端部が重なった状態で、金属部材の外表面に配置され、加熱されることで、シートが金属部材の外表面に溶着され、シートの両端部が一体的になっている。
【００１２】
ここで、シートで金属部材の外表面を覆った場合、金属部材の外表面上に、シートの両端部を合わせた継ぎ目が存在する。この継ぎ目が目立つと、高級感が著しく低下する。
（２）の考案によれば、シートを金属部材の外表面に溶着し、重なった状態で配置されたシートの両端部を一体的にするので、シートの継ぎ目が目立たなくなる。
したがって、椅子の着座部を支持する支持部に、金属製の部材を用いた場合に、高級感が低下するのをより防止可能な椅子を提供できる。
【００１３】
（３）  前記脚部は、前記金属部材の外表面が、使用者が視認可能な部分の全面に亘って、前記シートで覆われていることを特徴とする（１）又は（２）に記載の椅子。
【００１４】
ここで、仮に、使用状態では目立たない部分にシートを配置していなかった場合、例えば、椅子を持ち上げた場合や、運搬時等に、シートが配置されていない金属製の部材の外表面が、使用者に視認されると、高級感が著しく低下する。
（３）の考案によれば、金属部材の外表面を、使用者が視認可能な部分の全面に亘って、シートで覆ったので、椅子をどの方向から見ても、シートが配置された状態とすることが可能となる。
したがって、椅子の着座部を支持する支持部に、金属製の部材を用いた場合に、高級感が低下するのをより防止可能な椅子を提供できる。
【考案の効果】
【００１５】
本考案によれば、椅子の着座部を支持する支持部に、金属製の部材を用いた場合に、高級感が低下するのをより防止可能な椅子を提供できる。
【図面の簡単な説明】
【００１６】
【図１】本考案の一実施形態に係る椅子の斜視図である。
【図２】本考案の一実施形態に係る脚部の断面図である。
【図３】本考案の一実施形態に係る脚部の製造過程を説明する図である。
【考案を実施するための形態】
【００１７】
以下、本考案の一実施形態を図面に基づいて説明する。以下の説明において、同一又は類似の構成には同一の符号を付し、その説明を省略又は簡略化する。
【００１８】
図１は、本考案の一実施形態に係る椅子の斜視図である。本実施形態では、椅子１は、例えば、ピアノ等の楽器を演奏する使用者が着座する楽器用の椅子であるが、これに限らず、椅子１は、多様な用途の椅子に適用することが可能である。
【００１９】
椅子１は、使用者が着座する着座部１０と、着座部１０を下方から支持する支持部２０と、支持部２０に固定され、着座部１０を昇降させる昇降部３０と、支持部２０に取り付けられ、使用者が足を掛けることが可能な補助部４０と、を備える。
【００２０】
着座部１０は、上面側に、使用者が着座するクッションが配置され、下面側が、支持部２０に固定された昇降部３０に接続されている。着座部１０は、図１に示す例では、上面視で、四角形状に形成されているが、これに限らず、円形形状、その他の多角形形状に形成してもよい。
【００２１】
支持部２０は、着座部１０の外周近傍（図１に示す例では、４つのコーナー）の下側において、下方に延びる複数（図１に示す例では、４本）の脚部２１と、互いに隣接する脚部２１の上端側を、互いに連結する枠部２２と、を備える。
【００２２】
図２は、本考案の一実施形態に係る脚部の断面図である。
脚部２１は、金属製の軸形状である金属部材２１ａの外表面が、表面に印刷可能なシート２１ｂで覆われている。
【００２３】
金属部材２１ａは、例えば、アルミ製の中空の角材で構成されている。これにより、スチールで構成した場合に比べ、軽量化を図ることが可能となる。なお、金属部材２１ａは、角材に限らず、円筒形状や、その他の多角柱形状等に形成されていてもよい。
【００２４】
シート２１ｂは、例えば、プラスチックシートであり、表面に、例えば、木目の模様等を塗装（吹き付け等）し、乾燥させたものである。なお、シート２１ｂは、このような態様に限らず、紙であってもよいし、模様等が印刷されたものでもよい。
【００２５】
図３は、本考案の一実施形態に係る脚部の製造過程を説明する図である。
脚部２１は、図３に示すように、シート２１ｂの両端部が重なった状態で、金属部材２１ａの外表面に配置され、高温で焼付る(溶かす)ことで、シート２１ｂが収縮し、シート２１ｂが金属部材２１ａの外表面に溶着され、シート２１ｂの両端部の重なった部分が一体的になり、図２に示す状態となる。
【００２６】
このように、脚部２１を製造することで、金属部材２１ａの外表面に、例えば、木材の外表面の凹凸を模したエンボス加工を施し、この金属部材２１ａに、木目模様が印刷されたシート２１ｂを溶着することで、シート２１ｂの外表面に、金属部材２１ａのエンボス加工が浮き出て、より木材の外観に近似したものとなる。
【００２７】
枠部２２は、断面形状が脚部２１と異なるが、金属部材２１ａの外表面にシート２１ｂが溶着されている点は同一であるので、説明を省略する。
【００２８】
脚部２１及び枠部２２は、金属部材２１ａの外表面が、使用者が視認可能な部分の全面に亘って、シート２１ｂで覆われている。
【００２９】
図１に戻って、昇降部３０は、上下方向に延びるリンク機構で構成され、上下方向の着座部１０の位置を、使用者の操作により調整可能に構成されている。
【００３０】
補助部４０は、例えば、互いに隣接する２本の脚部２１の中間部分に、跨がって配置される板形状の部材であり、楽器（例えば、ピアノ）を演奏するのに適切な位置に、着座部１０の高さを調節した場合に、例えば、使用者が子供等のように体格が比較的小さく、足が床に付かない場合に、当該使用者が足をのせる部材である。補助部４０は、互いに隣接する２本の脚部２１の中間部分において、高さを調整可能に構成されている。
【００３１】
このような椅子１によれば、例えば、椅子の用途が、従来、脚部において、天然の木材が使用されていた楽器用であれば、従来の楽器用椅子で用いられていた木材の木目が印刷されたシート２１ｂで、金属部材２１ａを覆うことで、安定的に入手可能な材料を用いつつ、高級感が低下するのを防止することが可能となる。
したがって、椅子１の着座部１０を支持する支持部２０に、金属製の部材を用いた場合に、高級感が低下するのを防止可能な椅子を提供できる。
【００３２】
また、椅子１によれば、シート２１ｂを金属部材２１ａの外表面に溶着し、重なった状態で配置されたシート２１ｂの両端部を一体的にするので、シート２１ｂの継ぎ目が目立たなくなる。
【００３３】
また、椅子１によれば、金属部材２１ａの外表面を、使用者が視認可能な部分の全面に亘って、シート２１ｂで覆ったので、椅子をどの方向から見ても、シート２１ｂが配置された状態とすることが可能となる。
【００３４】
なお、本考案は、上記の実施形態に限定されるものではない。
【符号の説明】
【００３５】
１      椅子
１０  着座部
２０  支持部
２１  脚部
２１ａ  金属部材
２１ｂ  シート
２２  枠部
３０  昇降部
４０  補助部
【図１】
0003232200.tif 000003
【図２】
0003232200.tif 000004
【図３】
0003232200.tif 000005